(57)【要約】  アセンブリ（１）であって、可動の家具部分（２）のための第１の引出しガイド（３ａ）と、家具本体（６）に対して相対的に可動の家具部分（２）を移動させるための駆動装置（５）のための連行体（４ａ）とから成っており、このとき連行体（４ａ）は、駆動装置（５）に作用結合させることができる連行体突出部（７）を有しており、このとき連行体（４ａ）に配置された部分（８ａ）と、第１の引出しガイド（３ａ）に配置された部分（８ｂ）とを備えた第１の固定装置（８）が設けられており、該第１の固定装置（８）に、連行体（４ａ）は第１の引出しガイド（３ａ）において固定可能であり、このとき第１の固定装置（８）の一方の部分（８ａ，８ｂ）は、ピン（９）として形成されていて、かつ他方の部分（８ｂ，８ａ）は、ピン（９）に対応するピン収容部（１０）として形成されており、このときピン（９）は、第１の引出しガイド（３ａ）の長手延在方向（Ｌ）に対して斜めに位置されていて、かつピン収容部（１０）は、ピン（９）のための、狭窄箇所（Ｅ）を有する導入通路（１１）を有しており、このとき連行体（４ａ）は、第１の引出しガイド（３ａ）に対してほぼ鏡像的に形成されている第２の引出しガイド（３ｂ）に連行体（４ａ）を追加的に固定するための第２の固定装置（１２）の、ピン（９）としてまたはピン収容部（１０）として形成された部分（１２ａ）を有しており、かつ第１の固定装置（８）の、連行体（４ａ）に配置された部分（８ａ）は、第２の固定装置（１２）の、連行体（４ａ）に配置された部分（１２ａ）に鏡面対称に、連行体（４ａ）に配置されている、アセンブリ（１）。
2021510111.tif 000002
【特許請求の範囲】
【請求項１】
アセンブリ（１）であって、
- 可動の家具部分（２）のための第１の引出しガイド（３ａ）と、
- 家具本体（６）に対して相対的に前記可動の家具部分（２）を移動させるための駆動装置（５）のための連行体（４ａ）とから成っており、前記連行体（４ａ）は、前記駆動装置（５）に作用結合させることができる連行体突出部（７）を有しており、
前記連行体（４ａ）に配置された部分（８ａ）と、前記第１の引出しガイド（３ａ）に配置された部分（８ｂ）とを備えた第１の固定装置（８）が設けられており、該第１の固定装置（８）に、前記連行体（４ａ）は前記第１の引出しガイド（３ａ）において固定可能であり、前記第１の固定装置（８）の一方の部分（８ａ，８ｂ）は、ピン（９）として形成されていて、かつ他方の部分（８ｂ，８ａ）は、前記ピン（９）に対応するピン収容部（１０）として形成されており、前記ピン（９）は、前記第１の引出しガイド（３ａ）の長手延在方向（Ｌ）に対して斜めに配置されていて、かつ前記ピン収容部（１０）は、前記ピン（９）のための、狭窄箇所（Ｅ）を有する導入通路（１１）を有している、アセンブリ（１）において、
前記連行体（４ａ）は、前記第１の引出しガイド（３ａ）に対してほぼ鏡面的に形成されている第２の引出しガイド（３ｂ）に、前記連行体（４ａ）を追加的に固定するための第２の固定装置（１２）の、ピン（９）としてまたはピン収容部（１０）として形成された部分（１２ａ）を有しており、かつ前記第１の固定装置（８）の、前記連行体（４ａ）に配置された前記部分（８ａ）は、前記第２の固定装置（１２）の、前記連行体（４ａ）に配置された前記部分（１２ａ）に鏡面対称に、前記連行体（４ａ）に配置されている
ことを特徴とする、アセンブリ。
【請求項２】
前記連行体（４ａ）は、ベースプレート（１３）を有している、
請求項１記載のアセンブリ。
【請求項３】
前記ベースプレート（１３）は、プレート平面（Ｐ）に沿って方向付けられている、
請求項２記載のアセンブリ。
【請求項４】
前記プレート平面（Ｐ）は、前記第１の引出しガイド（３ａ）の前記長手延在方向（Ｌ）に平行に、かつ当該アセンブリ（１）の組付け状態（Ｍ）において水平に延びている、
請求項３記載のアセンブリ。
【請求項５】
前記連行体（４ａ）は、前記プレート平面（Ｐ）に対して直角に方向付けられた中心の対称平面（Ｓ）を有している、
請求項３または４記載のアセンブリ。
【請求項６】
前記第１の固定装置（８）の、前記連行体（４ａ）に配置された前記部分（８ａ）と、前記第２の固定装置（１２）の、前記連行体（４ａ）に配置された前記部分（１２ａ）とはそれぞれ、前記対称平面（Ｓ）の一方の側に互いに鏡面対称に配置されている、
請求項５記載のアセンブリ。
【請求項７】
前記対称平面（Ｓ）は、前記連行体突出部（７）を通って延びている、
請求項５または６記載のアセンブリ。
【請求項８】
前記対称平面（Ｓ）は、前記連行体（４ａ）を第１の対称領域（Ｓ１）と第２の対称領域（Ｓ２）とに分割している、
請求項５から７までのいずれか１項記載のアセンブリ。
【請求項９】
前記連行体（４ａ）の２つの前記対称領域（Ｓ１，Ｓ２）は、互いに鏡面対称に形成されている、
請求項８記載のアセンブリ。
【請求項１０】
前記ピン（９）は、当該アセンブリ（１）の固定状態（Ｂ）において前記ピン収容部（１０）に接触している、
請求項１から９までのいずれか１項記載のアセンブリ。
【請求項１１】
前記ピン（９）は、当該アセンブリ（１）の前記組付け状態（Ｍ）において、前記連行体（４ａ）からまたは前記第１の引出しガイド（３ａ）から鉛直に突出している、
請求項１から１０までのいずれか１項記載のアセンブリ。
【請求項１２】
前記ピン（９）は、中心のピン軸線（Ｚ）を有している、
請求項１から１１までのいずれか１項記載のアセンブリ。
【請求項１３】
前記ピン軸線（Ｚ）は、前記第１の引出しガイド（３ａ）の前記長手延在方向（Ｌ）に対して直角に方向付けられている、
請求項１２記載のアセンブリ。
【請求項１４】
前記ピン（９）は、前記ピン軸線（Ｚ）を中心にして形成されていて前記ピン軸線（Ｚ）を半径方向において完全に取り囲んでいる周面（Ｆ）を有している、
請求項１２または１３記載のアセンブリ。
【請求項１５】
前記周面（Ｆ）は、前記ピン軸線（Ｚ）に対して直角な横断面において、真円形とは異なっている、
請求項１４記載のアセンブリ。
【請求項１６】
前記周面（Ｆ）は、前記ピン軸線（Ｚ）に対して直角な横断面において、半径方向において互いに向かって位置している２つの平らに面取りされた領域（Ｆ１，Ｆ２）と、半径方向において互いに向かって位置している２つの凸状の領域（Ｆ３，Ｆ４）とを有している、
請求項１５記載のアセンブリ。
【請求項１７】
前記平らに面取りされた領域（Ｆ１，Ｆ２）の間の、前記ピン軸線（Ｚ）を通って延びている最短の真っ直ぐな結合線（Ｖ１）が、前記凸状の領域（Ｆ３，Ｆ４）の間の、前記ピン軸線（Ｚ）を通って延びている最短の真っ直ぐな結合線（Ｖ２）よりも短い、
請求項１６記載のアセンブリ。
【請求項１８】
前記ピン収容部（１０）は、前記連行体（４ａ）内にまたは前記第１の引出しガイド（３ａ）内に成形されており、前記連行体（４ａ）または前記第１の引出しガイド（３ａ）に前記ピン収容部（１０）の切欠き縁部が形成されている、
請求項１から１７までのいずれか１項記載のアセンブリ。
【請求項１９】
前記ピン収容部（１０）は、前記ピン（９）のための、前記導入通路（１１）とは別個の軸受領域（１４）を有している、
請求項１から１８までのいずれか１項記載のアセンブリ。
【請求項２０】
前記導入通路（１１）の前記狭窄箇所（Ｅ）の領域における最小の内径（Ｗ１１）が、前記軸受領域（１４）における最小の内径（Ｗ１４）よりも小さい、
請求項１９記載のアセンブリ。
【請求項２１】
前記導入通路（１１）は、前記狭窄箇所（Ｅ）に接続する比較的広幅の、好ましくはノズル形状の挿入領域（１５）を有している、
請求項１から２０までのいずれか１項記載のアセンブリ。
【請求項２２】
前記ピン（９）の組付け運動時に、前記ピン収容部（１０）の前記狭窄箇所（Ｅ）は、前記連行体（４ａ）が前記第１の引出しガイド（３ａ）の前記長手延在方向（Ｌ）に対して斜めに方向付けられている場合にだけ通過することができる、
請求項１から２１までのいずれか１項記載のアセンブリ。
【請求項２３】
前記第１の固定装置（８）および前記第２の固定装置（１２）の、前記連行体（４ａ）に形成された前記部分（８ａ，１２ａ）は、ピン（９）として形成されており、かつ前記ピン収容部（１０）は、前記第１の引出しガイド（３ａ）に配置されている、
請求項１から２２までのいずれか１項記載のアセンブリ。
【請求項２４】
前記第１の引出しガイド（３ａ）に、１つのピン（９）または１つのピン収容部（１０）だけが配置されている、
請求項１から２３までのいずれか１項記載のアセンブリ。
【請求項２５】
当該アセンブリ（１）の前記組付け状態（Ｍ）において、前記第２の固定装置（１２）の、前記連行体（４ａ）に配置されている前記部分（１２ａ）は、前記第１の固定装置（８）の、前記第１の引出しガイド（３ａ）に配置されている前記部分（８ｂ）から間隔をおいて配置されている、
請求項１から２４までのいずれか１項記載のアセンブリ。
【請求項２６】
前記連行体（４ａ）は、前記固定装置（８，１２）の前記部分（８ａ，１２ａ）とは別体の、好ましくは舌片形状のクランプ要素（１６）を有しており、該クランプ要素（１６）は、前記組付け状態（Ｍ）において前記第１の引出しガイド（３ａ）に結合されている、
請求項１から２５までのいずれか１項記載のアセンブリ。
【請求項２７】
前記対称平面（Ｓ）は、前記クランプ要素（１６）の中心を通って延びている、
請求項２６記載のアセンブリ。
【請求項２８】
前記第１の引出しガイド（３ａ）は、本体レール（１７）と、前記本体レール（１７）に対して相対的に走行可能な引出しレール（１８）とを有している、
請求項１から２７までのいずれか１項記載のアセンブリ。
【請求項２９】
前記第１の固定装置（８）の、前記第１の引出しガイド（３ａ）に配置された前記部分（８ｂ）は、前記本体レール（１７）に配置されている、
請求項２８記載のアセンブリ。
【請求項３０】
前記第１の固定装置（８）の、前記本体レール（１７）に配置された部分（８ｂ）は、前記本体レール（１７）と一体に形成されており、好ましくは前記本体レール（１７）内に形成されている、
請求項２９記載のアセンブリ。
【請求項３１】
前記第１の引出しガイド（３ａ）に対して鏡像的に形成された第２の引出しガイド（３ｂ）が設けられている、
請求項１から３０までのいずれか１項記載のアセンブリ。
【請求項３２】
前記第２の引出しガイド（３ｂ）のための第２の連行体（４ｂ）が設けられており、前記第２の連行体（４ｂ）は、前記第１の引出しガイド（３ａ）に対応配置された前記連行体（４ａ）と同一に形成されている、
請求項３１記載のアセンブリ。
【請求項３３】
前記家具本体（６）に対して相対的に前記可動の家具部分（２）を移動させるための少なくとも１つの駆動装置（５）、好ましくはエジェクト装置が設けられており、好ましくはエジェクト装置である前記駆動装置（５）は、前記連行体（４ａ）に作用結合させることができる、
請求項１から３２までのいずれか１項記載のアセンブリ。
【請求項３４】
前記引出しガイド（３ａ，３ｂ）のそれぞれに、駆動装置（５）が設けられている、
請求項３１および３３記載のアセンブリ。
【請求項３５】
家具本体（６）、可動の家具部分（２）、特に引出し、および請求項１から３４までのいずれか１項記載のアセンブリ（１）を備えた家具（１９）。
【請求項３６】
引出しとして形成された前記可動の家具部分（２）の、好ましくは下側に取り付けられた２つの駆動装置（５ａ，５ｂ）が設けられており、第１の駆動装置（５ａ）が第１の引出しガイド（３ａ）および連行体（４ａ）に、かつ第２の駆動装置（５ｂ）が第２の引出しガイド（３ｂ）および第２の連行体（４ｂ）に対応配置されている、
請求項３５記載の家具。
【請求項３７】
前記可動の家具部分（２）の少なくとも閉鎖位置（ＳＳ）において、前記第１の駆動装置（５ａ）は前記連行体（４ａ）に接触していて、かつ前記第２の駆動装置（５ｂ）は前記第２の連行体（４ｂ）に接触している、
請求項３６記載の家具。
【請求項３８】
請求項１から３４までのいずれか１項記載のアセンブリ（１）の第１の引出しガイド（３ａ）に、請求項１から３４までのいずれか１項記載のアセンブリ（１）の連行体（４ａ）を固定するための方法であって、前記連行体（４ａ）を、前記連行体（４ａ）が前記第１の引出しガイド（３ａ）の長手延在方向（Ｌ）に対して斜めに方向付けられている先行固定位置（ＶＢ）から、第１の固定装置（８）を介して、前記第１の引出しガイド（３ａ）との固定状態（Ｂ）にもたらし、これは、導入通路（１１）の狭窄箇所（Ｅ）を通るピン（９）の移動と、この移動に続く、前記第１の固定装置（８）の前記ピン（９）を中心にした旋回とによって行われる、方法。
【請求項３９】
前記連行体（４ａ）と同一に形成された第２の連行体（４ｂ）を、前記第２の連行体（４ｂ）が第２の引出しガイド（３ｂ）の長手延在方向（Ｌ）に対して斜めに方向付けられている先行固定位置（ＶＢ）から、第２の固定装置（１２）の、前記第２の連行体（４ｂ）に配置された部分（１２ａ）と、前記第１の固定装置（８）の、前記第２の引出しガイド（３ｂ）に配置された部分（８ｂ）とを介して、前記第２の引出しガイド（３ｂ）との固定状態（Ｂ）にもたらし、これは、前記導入通路（１１）の前記狭窄箇所（Ｅ）を通る前記ピン（９）の移動と、この移動に続く、前記ピン（９）を中心にした旋回とによって行われる、
請求項３８記載の方法。
【発明の詳細な説明】
【技術分野】
【０００１】
本発明は、アセンブリであって、可動の家具部分のための第１の引出しガイドと、家具本体に対して相対的に可動の家具部分を移動させるための駆動装置のための連行体とから成っており、このとき連行体は、駆動装置に作用結合させることができる連行体突出部を有しており、このとき連行体に配置された部分と、引出しガイドに配置された部分とを備えた第１の固定装置が設けられており、該第１の固定装置に、連行体は第１の引出しガイドにおいて固定可能であり、このとき第１の固定装置の一方の部分は、ピンとして形成されていて、かつ他方の部分は、ピンに対応するピン収容部として形成されており、このときピンは、第１の引出しガイドの長手延在方向に対して斜めに配置されていて、かつピン収容部は、ピンのための、狭窄箇所を有する導入通路を有している、アセンブリに関する。本発明はさらに、このようなアセンブリを備えた家具、およびこのようなアセンブリの引出しガイドにこのようなアセンブリの連行体を固定するための方法に関する。
【０００２】
家具用金具工業においては、既に何年も前から、可動の家具部分の移動を機械的にサポートする駆動装置が公知である。このような駆動装置としては、いわゆるタッチラッチ機構の形態のエジェクト装置、または引込み装置も公知である。これらの駆動装置は、多くの場合家具本体または可動の家具部分に配置されている。このような駆動装置は連行体と共働し、この連行体は、例えば可動の家具部分に配置された駆動装置では、家具本体にまたは引出しガイドの本体レールに対応配置されている。
【０００３】
このような形式のアセンブリは、国際公開第２０１６／０００００３号の図１〜図１０に基づいて公知である。この国際公開は、固定運動によって解離位置からレールとの固定位置にもたらすことができる連行体を開示しており、このとき固定運動は、水平な平面において行われる。すなわちこの事例では、駆動装置は引出し底部の下側に配置されているか、または引出しレールに結合されており、かつ本体レールに取り付けられた連行体と作用結合させることができる。連行体は、連行体ピンを有している。
【０００４】
レールにおける連行体の固定のために、第１の結合部材が設けられており、この第１の結合部材は、連行体のプレート形状のベース領域から鉛直に突出している。この第１の結合部材は、ほぼ長方形の底面を備えた円筒の形態の頸部領域を有している。第２の結合部材および第３の結合部材は、連行体の保持プレートから曲げ出されている、もしくは打ち出されている。レールへの連行体の押込み時における、直線に沿った固定運動時に、連行体の頸部領域は、レールにおける結合対応部材を形成する狭窄箇所を正確に通過する。この押込み後に先行組付け位置が得られるや否や、固定運動の第２の部分が水平な平面において、第１の結合部材によって形成された鉛直な軸線を中心にした旋回運動によって行われる。この旋回運動の終了時に、第２の結合部材は第２の結合対応部材との摩擦結合式の結合に達し、かつ第３の結合部材もまた第３の結合対応部材との摩擦結合式の結合に達し、これによって固定位置が得られる。この旋回・固定運動はそれ自体好適である。それというのはこの旋回・固定運動は、既に取り付けられた引出しガイドにおいても比較的簡単にかつ単純に実施することができるからである。さらに、狭窄箇所を通過する頸部領域と、次いで行われる旋回とによって確実な結合が達成されている。
【０００５】
しかしながらこの構成における欠点としては、引出しガイドの一方の側のために、引出しガイドの他方の側に対して鏡像的な連行体を使用しなくてはならないということがある。すなわち、２つの異なる連行体を引出し毎に設ける必要がある。これによって製造コストが高くなる。また在庫管理も事実上２倍である。
【０００６】
これに対して国際公開第２０１６／０００００３号の図１１〜図１３に開示された連行体では、純粋に直線的な固定運動が与えられている。この変化実施形態では、レールの下側に、Ｕ字形の舌片の形態の結合対応部材が形成されている。これらの結合対応部材は、連行体のためのガイド要素を形成している。連行体の保持プレートには、上方に向かって軽く曲げられた結合部材が形成されている。固定運動時における連行体の押込みによって、上方に向かって軽く曲げられた結合部材は、結合対応部材とレールの下側との間に達する。これによって旋回なしに固定位置が得られる。結合対応部材の下側と結合部材の上側とには、それぞれギザギザを付けられた表面が形成されている。これらのギザギザを付けられた表面は、互いに歯合するもしくは引っ掛かるので、連行体とレールとの間における形状結合式の保持が保証されている。しかしながらこの構成における欠点としては、一方では、固定時に両結合部材を同時に舌片内に挿入しなくてはならず、このことは、引出しの領域において所要スペースが制限されている場合、および見通しが悪い場合に、問題になり得るということがある。他方において、ギザギザを付けられた表面を介しての引っ掛かりによって後に行われる解離が、事実上、破壊なしには不可能であるという欠点がある。このような解離のためには、舌片を拡開させる、もしくは何らかの外部の力によって、上方に向かって軽く曲げられた結合部材を下方に向かって押圧する必要があり、これによって個々のフックを互いに解離させることができる。したがってこの文献の図１１〜図１３は、単に連行体の１回の固定のための変化形態だけを示している。
【０００７】
本発明の課題は、従来技術に対して改善されたアセンブリを提供することである。特に、固定が可能な限り簡単に、単純に、かつ確実に行われることが望まれている。さらに２倍の在庫管理を回避することが望まれている。さらにまた、連行体は可能な限り簡単に固定可能であり、かつ再び解離可能であることが望まれている。
【０００８】
この課題は、請求項１の特徴を備えたアセンブリによって解決される。したがって本発明によれば、連行体は、第１の引出しガイドに対してほぼ鏡像的に形成されている第２の引出しガイドに連行体を追加的に固定するための第２の固定装置の、ピンとしてまたはピン収容部として形成された部分を有しており、かつ第１の固定装置の、連行体に配置された部分は、第２の固定装置の、連行体に配置された部分に鏡面対称に、連行体に配置されていることが提案されている。
【０００９】
連行体における第１の固定装置に対して鏡面対称に形成された第２の固定装置によって、同じ連行体を、この第２の固定装置を介して相応に、向かい合って位置している側における第２の引出しガイドに固定することができる。これによってほぼ同一の２つの連行体を使用することができ、このとき一方の連行体は、第１の固定部材を介して第１の引出しガイドに固定され、かつ他方の連行体は、第２の固定装置の部分を介して第２の引出しガイドに固定される。これによって２倍の在庫管理は不要である。さらにピンとピン収容部とを介して、簡単に解離可能な固定が与えられている。可能な旋回運動は、固定動作をさらに簡単にする。
【００１０】
請求項１記載のアセンブリは、国際公開第２０１６／０００００３号の両実施例の組合せからも絶対に得られない。理論的には確かに当業者は、図１１〜図１３の上方に向かって曲げられた両結合部材の代わりに、図１〜図１０に記載された実施例のそれぞれ第１の結合部材を使用することが可能である。しかしながらこれによって、確実な結合は得られない。それというのは、頸部領域と対応する狭窄箇所とを備えた第１の結合部材のためには、形状結合式の保持のための旋回運動が必ず必要だからである。つまり図１１〜図１３に示されているように、直線的な固定運動が行われると、理論的に配置された第１の結合部材は、頸部領域と形状結合式に固定され得ない。
【００１１】
本発明の好適な実施例は、従属請求項に記載されている。
【００１２】
基本的に、ピンおよびピン収容部に関しては、互いに択一的な２つの構成可能性がある。したがって第１の変化形態によれば、第１の固定装置および第２の固定装置の、連行体に形成された部分は、ピンとして形成されており、かつピン収容部は、引出しガイドに配置されていることが提案されている。第２の変化形態としては逆に、第１の固定装置および第２の固定装置の、連行体に形成された部分は、ピン収容部として形成されており、かつピンが、引出しガイドに配置されていることが提案されていてよい。
【００１３】
ピンおよびピン収容部のための、本出願において記載されたすべての例および詳細な定義は、それぞれどこにピンが配置されていて、かつどこにピン収容部が配置されているかとは無関係に通用する。すなわち、ピンが連行体における配置に関して記載されている場合には、このことは、論理的に意味がある限り、逆の形式で、引出しガイドにおけるピンの配置に対しても通用する。また記載された固定運動は、同様に両変化実施形態にも通用する。
【００１４】
好ましくは、正確に２つの固定装置（つまり第１の固定装置および第２の固定装置）の部分が、連行体に形成されていることが提案されている。
【００１５】
好ましくはまた、引出しガイドに単に１つのピンまたは１つのピン収容部だけが配置されていることも提案されている。すなわち引出しガイドには、正確に１つの固定装置の１つの部分が形成されている。
【００１６】
組付け状態において、連行体に配置された両固定装置の１つの部分だけが、機能を果たすので、好ましくは、アセンブリの組付け状態において、第２の固定装置の、連行体に配置された部分は、固定装置の、引出しガイドに配置された部分から間隔をおいて配置されている。すなわち第２の固定装置のピンまたはピン収容部は、それぞれの引出しガイドのために機能しない、または結合しない。
【００１７】
連行体は、連行体が連行体突出部と、第１の固定装置および第２の固定装置の両部分を有している限り、それ自体任意に形成されていてよい。
【００１８】
好適な実施例によれば、連行体は、ベースプレートを有していることが提案されている。このベースプレートは、好ましくは金属薄板として形成されている。好ましくは、この金属薄板は、ほぼ規則的な金属薄板厚さを有している。この金属薄板厚さは、０.５ｍｍ〜１.５ｍｍであり、かつ好ましくは０.７ｍｍ〜１.０ｍｍである。具体的には、０.８ｍｍの金属薄板厚さが設けられている。
【００１９】
同様の形式において、引出しガイドも、金属薄板の形態のレールを有している。この場合においても、例えば本体レールのコンポーネントの金属薄板厚さは、好ましくは０.５ｍｍ〜１.５ｍｍである。
【００２０】
連行体突出部は、このベースプレートの一体の構成部分として形成されていてよい。つまり例えば連行体突出部は、ベースプレートから打ち出され、かつ相応に上方に曲げられ、もしくは折り返されていてよい。しかしながら好ましくは、連行体突出部は、ベースプレートとは別体の差込み部分の形態で形成されていることが提案されている。この差込み部分は、好ましくはプラスチックから成っている。
【００２１】
ベースプレートは、全体としてほぼ面状に形成されている。好ましくは、ベースプレートは、プレート平面に沿って方向付けられていることが提案されている。特に、ベースプレートの面状の表面の大部分は、このプレート平面に平行に方向付けられている。
【００２２】
そのために特に好ましくは、プレート平面は、引出しガイドの長手延在方向に平行に、かつアセンブリの組付け状態において水平に延びていることが提案されている。
【００２３】
本発明の特に好適な構成によれば、ベースプレートは、プレート平面に対して直角に測定すると、最大で４つの金属薄板厚さの高さを、好ましくは最大で３つの金属薄板厚さの高さを有していることが提案されている。
【００２４】
好ましくはまた、ベースプレートは、第１の固定装置および第２の固定装置の領域において、最大で２つの金属薄板厚さの高さを有していることが提案されている。これによって本発明のアセンブリは、極めてスペースを節減して家具内に挿入することができる。
【００２５】
第１の固定装置および第２の固定装置の、連行体に配置された部分は、ベースプレートとは別体に形成されていてよい。すなわちこれらの部分は、例えばベースプレートに解離可能に結合されていてよい。しかしながら好ましくは、第１の固定装置および第２の固定装置の、連行体に配置された部分は、ベースプレートと一体に形成されていることが提案されている。これらの部分がピンとして形成されている場合には、これらのピンは、ベースプレート内に相応にエンボス加工されている。これらの部分がピン収容部として形成されている場合には、これらのピン収容部は、相応にベースプレートから打ち出されていて、もしくはベースプレート内に成形されていてよい。
【００２６】
単純な構成のために好ましくは、連行体は、プレート平面に対して直角に方向付けられた中心の対称平面を有していることが提案されていてよい。そのために特に好ましくは、固定状態において対称平面は、第１の引出しガイドの長手延在方向に対して直角に方向付けられていることが提案されている。
【００２７】
固定状態は、連行体が、引出しガイドに結合された位置にある状態である。すなわち連行体は、不動に（しかしながら解離可能に）引出しガイドに結合されている。
【００２８】
これに対して組付け状態は、アセンブリ全体が、つまり引出しガイドが連行体と共に、家具の家具本体に組み付けられている状態である。これは、組付け位置とも呼ぶことができる。この組付け状態は、特に、「水平」および「鉛直」という概念を定義するために重要である。
【００２９】
好適な実施例によれば、第１の固定装置の、連行体に配置された部分と、第２の固定装置の、連行体に配置された部分とはそれぞれ、対称平面の一方の側に互いに鏡面対称に配置されていることが提案されている。
【００３０】
原理的には、１つの連行体が、１つよりも多くの連行体突出部を有していることが可能である。２つの連行体突出部が設けられている場合には、両連行体突出部はそれぞれ、対称平面の一方の側に互いに鏡面対称に配置されていることが望ましい。しかしながら好ましくは、対称平面は、連行体突出部を通って延びていることが提案されている。この事例では、特に好ましくは、単に１つの連行体突出部だけが連行体に形成されていることが提案されている。
【００３１】
別の好適な実施形態のためには、対称平面は、連行体を第１の対称領域と第２の対称領域とに分割していることが提案されている。このように構成されていると、第１の固定装置および第２の固定装置の両部分だけが、互いに鏡面対称に配置されているのみならず、連行体全体が、まさに２つの対称領域を有している。
【００３２】
一般的には、連行体それ自体は、全体として鏡面対称に形成されていないことが可能である。すなわちまさに使用目的に応じて、かつ使用可能性に応じて、非対称のコンポーネントが連行体に配置されていてよい。しかしながら特に好ましくは、連行体の２つの対称領域は、互いに鏡面対称に形成されていることが提案されている。
【００３３】
特に好ましくはさらに、ピンは、アセンブリの固定状態においてピン収容部に接触していることが提案されている。このときそれ自体摩擦結合式の結合が存在していてよい。しかしながら好ましくは、ピンとピン収容部との間における形状結合式の結合が、少なくとも、引出しガイドの長手延在方向に対して直角な運動方向に与えられている。
【００３４】
固定装置のピンは、第１の引出しガイドの長手延在方向に対して斜めに配置されているので、相応の対応部材との結合が可能である。好ましくは、ピンは、アセンブリの組付け状態において、連行体または引出しガイドから鉛直に突出していることが提案されている。
【００３５】
好適な実施形態によれば、ピンは、中心のピン軸線を有していることが提案されている。
【００３６】
ピン軸線は、それ自体例えば、プレート平面に対して相対的に４５°〜１３５°の範囲において方向付けられていてよい。好ましくは、ピン軸線は、引出しガイドの長手延在方向に対して直角に方向付けられていることが提案されている。さらに好ましくは、ピン軸線は組付け状態において鉛直に方向付けられていることが提案されている。
【００３７】
さらに好ましくは、ピンは、ピン軸線を中心にして形成されていてピン軸線を半径方向において完全に取り囲んでいる周面を有していることが提案されていてよい。このように構成されていると、ピンは、少なくとも部分的に幾何学的な意味において円筒形に形成されている。
【００３８】
特に好適な実施例によれば、周面は、ピン軸線に対して直角な横断面において、真円形とは異なっていることが提案されている。言い換えれば、このことは、周面の第１の位置からピン軸線を通って、第１の位置に向かい合って位置している周面位置にまで延びている、第１の真っ直ぐな結合線であって、対称平面に対して直角にかつプレート平面に平行に方向付けられている結合線の長さが、周面の第２の位置からピン軸線を通って、第２の位置に向かい合って位置している周面位置にまで延びている、第２の真っ直ぐな結合線であって、対称平面に対して横方向にかつプレート平面に平行に方向付けられている結合線の長さよりも、長いということを意味している。
【００３９】
周面は、ピン軸線に対して直角な横断面において、例えば長方形にまたは楕円形に形成されていてよい。特に好ましくは、周面は、ピン軸線に対して直角な横断面において、半径方向若しくは直径方向において互いに向かって位置している２つの平らに面取りされた領域と、半径方向において互いに向かって位置している２つの凸状の領域とを有していることが提案されている。
【００４０】
さらに好ましくは、平らに面取りされた領域の間の、ピン軸線を通って延びている最短の真っ直ぐな結合線が、凸状の領域の間の、ピン軸線を通って延びている最短の真っ直ぐな結合線よりも短いことが提案されていてよい。
【００４１】
好ましくは、平らに面取りされた領域は、引出しガイドの長手延在方向に対して横方向に、好ましくは３５°〜５５°の角度範囲において方向付けられていることが提案されていてよい。このことは、ピンが連行体に配置されている場合に通用する。ピンが引出しガイドに配置されている場合には、平らに面取りされた領域は、長手延在方向に対して直角に方向付けられている。
【００４２】
固定装置のピン収容部に関しては、好ましくは、ピン収容部は、連行体内にまたは引出しガイド内に成形されており、このとき連行体または引出しガイドにピン収容部の切欠き縁部が形成されていることが提案されている。
【００４３】
ピン収容部の最も重要な特徴は、ピン収容部は、ピンのための、狭窄箇所を有している導入通路を有しているということである。さらに好ましくは、ピン収容部は、ピンのための、導入通路とは別個の該導入通路に続く軸受領域を有していることが提案されていてよい。特に好ましくは、軸受領域は、ピン収容部のほぼ真円形の切欠き縁部によって形成されていることが提案されている。軸受領域の領域におけるこの切欠き縁部は、ほぼ３／４円を描いている。
【００４４】
引出しガイドにおける連行体の比較的簡単に解離可能でかつ形状結合式の固定を達成するために、好ましくは、導入通路の狭窄箇所の領域における最小の内径が、軸受領域における最小の内径よりも小さいことが提案されている。好ましくは、狭窄箇所の領域における最小の内径と軸受領域における最小の内径との比は、１：８〜７：８、好ましくは２：５〜４：５である。
【００４５】
好ましくは、狭窄箇所の領域における最小の内径は、引出しガイドの長手延在方向に対して横方向に、好ましくは３５°〜５５°の角度範囲にある。このことは、連行体における固定装置の部分が、ピン収容部として形成されている場合に通用する。引出しガイドにおける（第１の）固定装置の部分が、ピン収容部として形成されている場合には、好ましくは、最小の内径は、長手延在方向に平行に方向付けられていることが提案されている。
【００４６】
可能な限り簡単な固定運動のために、好ましくは、導入通路は、狭窄箇所に接続する比較的広幅の、好ましくは狭窄箇所の方向において先細りになる挿入領域を有していることが提案されている。この挿入領域は、好ましくは、狭窄箇所の、軸受領域とは反対の側に配置されている。このように構成されていると、ピンを、固定運動の最初に、相応に挿入領域を介して狭窄箇所の方向に移動させることができる。
【００４７】
可能な限り簡単な固定運動が保証されている限り、ピンおよびピン収容部は、それ自体任意に配置されていて、かつ方向付けられていてよい。特に好ましくは、ピンの組付け運動時に、ピン収容部の狭窄箇所は、連行体が第１の引出しガイドの長手延在方向に対して斜めに方向付けられている場合にだけ通過することができることが提案されている。特に好ましくは、連行体の対称平面は、ピンがピン収容部の狭窄箇所を通過することができるこの組付け運動時に、第１の引出しガイドの長手延在方向に対して３０°〜６０°、好ましくは４０°〜５０°の角度をおいて方向付けられていることが提案されている。
【００４８】
引出しガイドにおける連行体の固定は、単に第１の固定装置または第２の固定装置を介して行うだけで、それ自体十分である。しかしながら好ましくは、さらにより確実な保持のために、連行体は、固定装置の部分とは別体の、好ましくは舌片形状のクランプ要素を有しており、該クランプ要素は、組付け状態において引出しガイドに結合されていることが提案されている。特に、このクランプ要素は、引出しガイドの対応クランプ面またはクランプ要素・対応部材に接触している。
【００４９】
クランプ要素は、連行体の任意の箇所に配置されていてよい。好ましくは、対称平面は、クランプ要素の中心を通って延びていることが提案されている。
【００５０】
第１の引出しガイドのために好ましくは、第１の引出しガイドは、本体レールと、本体レールに対して相対的に走行可能な引出しレールとを有していることが提案されている。完全引出しのためには、追加的にさらにまた中間レールが設けられていてもよい。
【００５１】
駆動装置が、可動の家具部分に対応配置されている場合には、好ましくは、固定装置の、引出しガイドに配置された部分は、本体レールに配置されていることが提案されている。
【００５２】
固定装置の、引出しガイドに（好ましくは本体レールに）配置された部分は、引出しガイドのための別体の差込み部分として形成されていてよい。しかしながら好ましくは、（第１の）固定装置の、本体レールに配置された部分は、本体レールと一体に形成されており、好ましくは本体レール内に成形されていることが提案されている。
【００５３】
ここまでは、特に正確に１つの連行体および正確に１つの引出しガイドを備えた、本発明およびアセンブリが記載されている。引出しの形態の可動の家具部分のための、完全に機能的な家具用金具を得るためには、第１の引出しガイドに対してほぼ鏡像的に形成された第２の引出しガイドが設けられている。さらに好ましくは、第２の引出しガイドのための第２の連行体が設けられており、このとき第２の連行体は、第１の引出しガイドの連行体と同一に形成されている。これによって特に簡単な在庫管理が可能になる。
【００５４】
特に好ましくは、第１の固定装置の、第２の引出しガイドに配置された部分は、同時に第２の固定装置の１つの部分を形成していることが提案されている。
【００５５】
好適な実施例によれば、アセンブリのために、家具本体に対して相対的に可動の家具部分を移動させるための少なくとも１つの駆動装置、好ましくはエジェクト装置が設けられており、好ましくはエジェクト装置である駆動装置は、連行体に作用結合させることができることが提案されている。
【００５６】
可動の家具部分の確実かつ均一な移動のために、引出しガイドのそれぞれに、駆動装置が設けられていることが提案されている。このときこれらの両駆動装置は、それぞれの連行体に作用結合されている。
【００５７】
保護は、家具本体、可動の家具部分（特に引出し）、および本発明に係るアセンブリを備えた家具に対しても求められる。
【００５８】
好適な実施例によれば、引出しとして形成された可動の家具部分の、好ましくは下側に取り付けられた２つの駆動装置が設けられており、このとき第１の駆動装置が第１の引出しガイドおよび第１の連行体に、かつ第２の駆動装置が第２の引出しガイドおよび第２の連行体に対応配置されていることが提案されていてよい。
【００５９】
さらに好ましくは、引出しの少なくとも閉鎖位置において、第１の駆動装置は第１の連行体に接触していて、かつ第２の駆動装置は第２の連行体に接触していることが提案されている。特に、連行体は、駆動装置にロック解除運動時に接触していて、かつ次いで行われる開放運動時に互いに接触している。さらなる開放時に、かつ閉鎖運動の一部においても、駆動装置が連行体と接触していない空走行が与えられていてよい。
【００６０】
駆動装置がエジェクト装置として形成されている場合に、好ましくは、エジェクト装置は、エジェクト蓄力器、エジェクト蓄力器によって力が加えられる可動のエジェクト要素、およびロック位置においてエジェクト要素をロックするためのロック装置を有していることが提案されている。好ましくは、エジェクト要素は、引出しの閉鎖位置の後ろに位置している過剰押圧位置への引出しの過剰押圧によってロック解除可能であり、かつエジェクト要素のロック解除時に引出しは、エジェクト蓄力器およびエジェクト要素を介して開放方向に可動であることが提案されている。
【００６１】
さらに保護は、本発明に係るアセンブリの第１の引出しガイドに、本発明に係るアセンブリの連行体を固定するための方法に対しても求められる。この方法では、連行体を、連行体が第１の引出しガイドの長手延在方向に対して斜めに方向付けられている先行固定位置から、第１の固定装置を介して、第１の引出しガイドとの固定状態にもたらし、このときこれは、導入通路の狭窄箇所を通るピンの移動と、この移動に続く、第１の固定装置のピンを中心にした旋回とによって行われることが提案されている。これによってピンは、一種の旋回軸線を形成し、このときこの旋回によって、ピンとピン収容部との間における形状結合式の結合が行われる。それというのは、このときピンの相対的に広幅の領域が、軸受領域の切欠き縁部に接触していて、かつピンの移動を狭窄箇所によって阻止するからである。
【００６２】
好ましくは、この方法ではさらに、（第１の）連行体と同一に形成された第２の連行体を、第２の連行体が第２の引出しガイドの長手延在方向に対して斜めに方向付けられている先行固定位置から、第２の固定装置の、第２の連行体に配置された部分と、第２の固定装置の、第２の引出しガイドに配置された部分とを介して、第２の引出しガイドとの固定状態にもたらし、このときこれは、導入通路の狭窄箇所を通るピンの移動と、この移動に続く、ピンを中心にした旋回とによって行われることが提案されている。
【００６３】
次に本発明のさらなる詳細および利点について、図面に示された実施例を参照しながら図面の記載を用いて詳説する。
【図面の簡単な説明】
【００６４】
【図１】２つの引出しを備えた家具を示す斜視図である。
【図２】１つの引出し、２つの引出しガイド、２つの連行体、および２つの駆動装置を備えた家具を概略的に示す横断面図である。
【図３】引出しガイド、連行体、および駆動装置から成るアセンブリを概略的に示す分解図である。
【図４】図３に示されたアセンブリを固定状態において示す図である。
【図５】図４に示されたアセンブリを斜め下から見て示す図である。
【図６】１つの引出しガイドにおける連行体の固定運動を斜め下から見て示す図である。
【図７】１つの引出しガイドにおける連行体の固定運動を、詳細図と共に斜め下から見て示す図である。
【図８】１つの引出しガイドにおける連行体の固定運動を、詳細図と共に斜め下から見て示す図である。
【図９】１つの引出しガイドにおける連行体の固定運動を、詳細図と共に斜め下から見て示す図である。
【図１０】先行固定位置における連行体と共に両側の引出しガイドを上から見て示す図である。
【図１１】図１０を下から見た図である。
【図１２】先行固定位置における連行体および固定状態における連行体と共に両側の引出しガイドを上から見て示す図である。
【図１３】図１２を下から見た図である。
【図１４】第１の固定装置と共にアセンブリを下から見た図である。
【図１５】図１４に示された断面Ａ−Ａに沿った断面図を、第１の固定装置の詳細図と共に示す図である。
【図１６】アセンブリを、他の方向に方向付けられた横断平面を備えた第１の固定装置と共に示す図である。
【図１７】図１６に示された断面Ｃ−Ｃに沿った断面図を、第１の固定装置の詳細図と共に示す図である。
【図１８】第２の変化実施形態の連行体を示す斜視図である。
【図１９】第２の変化実施形態の本体レールの一部を示す斜視図を、ピンの詳細図と共に示す図である。
【図２０】第２の変化実施形態の第１の固定装置と共にアセンブリを下から見て示す図である。
【図２１】図２０に示された断面Ｄ−Ｄに沿った断面図を、第１の固定装置の詳細図と共に示す図である。
【００６５】
図１には、この事例では引出しの形態の２つの可動の家具部分２を備えた家具１９が斜視図で示されている。両可動の家具部分２は、ここでは見えない引出しガイド３ａ，３ｂを介して、家具本体６に直線的に可動に支持されている。上側の可動の家具部分２は、開放位置ＯＳに位置しており、これに対して下側の可動の家具部分２は、閉鎖位置ＳＳに位置している。それぞれの引出しは、１つの前板２０、１つの引出し背壁２１、２つの引出し側壁２２、および１つの引出し底部２３を有している。
【００６６】
図２には、家具本体６、可動の家具部分２、家具本体６に組み付けられた第１の引出しガイド３ａ、および家具本体６の、向かい合って位置している側に組み付けられた第２の引出しガイド３ｂを備えた家具１９が、概略的な断面図で示されている。可動の家具部分２は、両引出しガイド３ａ，３ｂに解離可能に結合されている。可動の家具部分２の下側には、第１の駆動装置５ａと第２の駆動装置５ｂとが配置されており、これらの駆動装置５ａ，５ｂは一緒に、家具本体６に対して相対的に可動の家具部分２を移動させるための駆動装置５を形成している。場合によっては、両駆動装置５ａ，５ｂの動作は、（単に点線で示されている）同期化装置２４によって同期化されてよい。それぞれの引出しガイド３ａ，３ｂには、それぞれ１つの連行体（Mitnehmer）４ａ，４ｂが結合されている。第１の引出しガイド３ａは、第１の連行体４ａと一緒に第１のアセンブリ１を形成している。同様に第２の引出しガイドは、第２の連行体４ｂと一緒に、そのような第２のアセンブリ１を形成している。連行体４ａ，４ｂは、それぞれ１つの連行体突出部７を有している。この連行体突出部７を介してそれぞれの連行体４ａ，４ｂは、それぞれの駆動装置５ａ，５ｂに、好ましくはそれぞれの駆動装置５ａ，５ｂのキャッチレバーに作用結合することができる。連行体４ａは、第１の固定装置８の、連行体４ａに配置された部分８ａと、第１の固定装置８の、第１の引出しガイド３ａに配置された部分８ｂとを介して、第１の引出しガイド３ａに固定されている。第２の連行体４ｂは、第２の固定装置１２の、第２の連行体４ｂに配置された部分１２ａと、第２の固定装置１２の、第２の引出しガイド３ｂに配置された部分８ｂとを介して、第２の引出しガイド３ｂに固定されている。つまりこの事例では、第２の引出しガイド３ｂに配置された部分８ｂは、同時に第２の固定装置１２の一部を形成している。図２には、両側の引出しガイド３ａ，３ｂはそれぞれ、連行体４ａ，４ｂとの固定状態Ｂに位置している。可動の家具部分２は、家具本体６との組付け状態Ｍに位置している。
【００６７】
図３には、アセンブリ１が駆動装置５と共に、斜視図で示されている。駆動装置５は、組付けプレート２５を有しており、この組付けプレート２５を介して駆動装置５は、可動の家具部分２の下側に、または引出し側壁を一緒に形成する容器レール２６の載置ウェブに固定可能である。第１の引出しガイド３ａは、引出しレール１８および本体レール１７を有している。図３に示された図面において、引出しレール１８は大部分が容器レール２６によってカバーされている。本体レール１７は、（下側の領域において良好に見える）ガイド部分２７と、好ましくはアングル形状の組付け要素２８とを含んでいる。この組付け要素２８は、ガイド部分２７に不動に結合されており、好ましくは溶接されている。第１の引出しガイド３ａは、本体レール１７を介して（好ましくは本体レール１７の組付け要素２８を介して）、図示されていない固定手段によって家具本体６に取り付けられる。第１の引出しガイド３ａの長手延在方向Ｌは、双方向矢印によって示されている。連行体４ａは、連行体突出部７、第１の固定装置８の部分８ａ、および第２の固定装置１２の部分１２ａを有している。これらの両部分８ａ，１２ａは、連行体４のベースプレート１３に配置されており、好ましくは連行体４と一体に形成されている。さらにベースプレート１３にはクランプ要素１６が配置されている。連行体４ａのベースプレート１３は、ほぼプレート平面Ｐに沿って延びている。このプレート平面Ｐは、両矢印によって形成された面によって示されている。プレート平面Ｐは、第１の引出しガイド３ａの長手延在方向Ｌに平行に方向付けられている。プレート平面Ｐは、組付け状態Ｍにおいて水平に方向付けられている。図３にはまた、連行体４ａの中心を通って延びる対称平面Ｓが、両破線と、両破線によって形成された面とによって示されている。対称平面Ｓは、固定状態Ｂにおいて、第１の引出しガイド３ａの長手延在方向Ｌに対して直角に、かつプレート平面Ｐに対して直角に方向付けられている。
【００６８】
図４にはアセンブリ１が駆動装置５と共に、組み立てられた状態において示されている。したがってアセンブリ１は、固定状態Ｂに位置している。
【００６９】
図５にはアセンブリ１が、斜め下から見た斜視図で示されている。図面においてある程度認識できるように、連行体４ａの連行体突出部７は、駆動装置５に作用結合されている。第１の固定装置８の、連行体４ａに配置されている部分８ａは、第１の固定装置８の、第１の引出しガイド３ａに配置されたまたは形成された部分８ｂに、形状結合式に結合されている。第２の固定装置１２の、連行体４ａに配置された部分１２ａは、部分８ｂに対して間隔をおいて配置されており、これによってこの事例では（もしくはこの第１の引出しガイド３ａの使用時には）機能しない。
【００７０】
図６〜図９には、第１の引出しガイド３ａにおける連行体４ａの固定運動が斜視図で示されている。この変化実施形態では、第１の固定装置８の、連行体４ａに配置された部分８ａは、ピン９として形成されている。同様に第２の固定装置１２の、連行体４ａに配置された部分１２ａも、ピン９として形成されている。第１の固定装置８の、第１の引出しガイド３ａに配置された部分８ｂは、ピン収容部１０として形成されている。
【００７１】
図６において連行体４ａは、なお、第１の引出しガイド３ａに対して間隔をおいた位置にある。図面から認識できるように、ピン収容部１０（部分８ｂ）は、本体レール１７の組付け要素２８に形成されている。
【００７２】
図７において連行体４ａは、先行固定位置ＶＢに達している。そのために、本体レール１７の左側に示された組付け要素２８とガイド部分２７との間には、細い間隙が空いており（図１５の詳細図も参照）、この間隙には、ベースプレート１３をプレート平面Ｐに沿って押し込むことができる。間隙の幅は、ベースプレート１３の厚さにほぼ相当している。連行体４ａは、固定状態Ｂに比べて、第１の引出しガイド３ａの長手延在方向Ｌに対して斜めに方向付けられている。左下の詳細図において認識できるように、ピン収容部１０は、狭窄箇所Ｅを備えた導入通路１１を有している。さらに導入通路１１は、狭窄箇所Ｅの方向において先細りになる比較的広幅の挿入領域１５を有している。さらにピン収容部１０は、好ましくは真円形の軸受領域１４を有している。先行固定位置ＶＢに達するために、ピン９は（その平らに面取りされた領域Ｆ１，Ｆ２がピン収容部１０の狭窄箇所Ｅを通過することにより）、導入通路１１を通って軸受領域１４内にほぼ直線的に移動させられている。具体的にこの導入運動は、斜めに傾けられた連行体４ａにおいて、第１の引出しガイド３ａの長手延在方向Ｌに対してほぼ直角方向に行われる。
【００７３】
図８には、固定運動の中間位置ＺＷが示されている。そのためにピン９は、いわば旋回軸として使用される。左下の詳細図に示されているように、ピン９は、鉛直に方向付けられたピン軸線Ｚを有している。このピン軸線Ｚを中心にして連行体４ａは、矢印によって示されているように反時計回り方向に旋回させられる。旋回運動は、真円形の軸受領域１４によって、かつ軸受領域１４に接触している少なくとも１つの凸状の領域Ｆ３またはＦ４によって案内される。これによってピン９の周面Ｆの平らに面取りされた領域Ｆ１，Ｆ２は、もはや狭窄箇所Ｅに面一に方向付けられているのではなく、斜めに位置されている。つまり周面Ｆの両凸状の領域Ｆ３，Ｆ４は、少なくとも部分的にピン収容部１０の軸受領域１４に接触している。右下の詳細図に示されているように、クランプ要素１６は、なお完全には、本体レール１７におけるクランプ要素・対応部材２９に達してない。好ましくは、このクランプ要素・対応部材２９は、Ｕ字形の舌片として本体レール１７のガイド部分２７に形成されている。
【００７４】
図９においては固定状態Ｂが得られている。連行体４ａは、図８に比べてさらにピン軸線Ｚを中心にして旋回させられている。連行体４ａの対称平面Ｓ（この対称平面Ｓは連行体４ａを、互いに鏡面対称に形成された両対称領域Ｓ１，Ｓ２に分割している）は、固定状態Ｂにおいて第１の引出しガイド３ａの長手延在方向Ｌに対して直角に方向付けられている。ピン９の平らに面取りされた領域Ｆ１，Ｆ２が、導入通路１１の狭窄箇所Ｅに対して斜めに位置することによって、連行体４ａに対する直線的な引張り運動によっては、連行体４ａが、第１の引出しガイド３ａの長手延在方向Ｌに対して直角にこの第１の引出しガイド３ａから解離され得ないように、形状結合式の結合が与えられている。右下の詳細図から認識できるように、クランプ要素１６はクランプ要素・対応部材２９に接触している。好ましくは、これらの両コンポーネント（クランプ要素１６とクランプ要素・対応部材２９）の間における摩擦結合式の結合が与えられている。
【００７５】
図１０には、両引出しガイド３ａ，３ｂおよび両連行体４ａ，４ｂが上から見た平面図で示されている。両連行体４ａ，４ｂは、先行固定位置ＶＢに位置している。
【００７６】
図１１には、図１０に対応する配置を下から見た図が示されている。
【００７７】
図１２には、両引出しガイド３ａ，３ｂおよび両連行体４ａ，４ｂが上から見た平面図で示されており、このとき連行体４ａは固定状態Ｂに位置しており、これに対して第２の連行体４ｂは、なお先行固定位置ＶＢに位置している。
【００７８】
図１３には、図１２に対応する配置を下から見た図が示されている。
【００７９】
図１４には、第１の引出しガイド３ａが連行体４ａと共に、下から見た図で示されている。断面Ａ−Ａを生ぜしめる鉛直な切断面が示されており、この切断面は第１の固定装置８を通って延びている。
【００８０】
図１５には、図１４の断面Ａ−Ａに沿った断面図が示されている。右に示された詳細図において、断面Ａ−Ａは固定装置８の領域において拡大して示されている。図から認識できるように、本体レール１７の組付け要素２８には、部分８ｂに相当するピン収容部１０が形成されている。特に、このピン収容部１０の軸受領域１４が示されている。軸受領域１４は、プレート平面Ｐに平行に最小の内径Ｗ１４を有している。図示の詳細図にはまた、ピン９のピン軸線Ｚも示されている。ピン９は、連行体４ａのベースプレート１３と一体に形成されている。ベースプレート１３はさらに、本体レール１７のガイド部分２７に直接接触している。さらにこの詳細図には、最短の真っ直ぐな結合線Ｖ１が示されおり、この結合線Ｖ１は、ピン９の周面Ｆの平らに面取りされた領域Ｆ１から、ピン軸線Ｚを通って、ピン９の周面Ｆの、向かい合って位置している平らに面取りされた領域Ｆ２に延びている。この結合線Ｖ１は、内径Ｗ１４よりも短い。しかしながらこの結合線Ｖ１は、導入通路１１の狭窄箇所Ｅにおける内径Ｗ１１とほぼ同じ長さである。したがってピン９は、正確に内径Ｗ１１を通過する。
【００８１】
図１６には、第１の引出しガイド３ａが連行体４ａと共に、下から見た図で示されている。断面Ｃ−Ｃを生ぜしめる鉛直な切断面が示されており、かつ図１４における方向とは異なる方向において、第１の固定装置８を通って延びている。
【００８２】
図１７には、図１６に対応する、断面Ｃ−Ｃに沿った断面図が示されている。右に示された詳細図において、断面Ｃ−Ｃは固定装置８の領域において拡大して示されている。最短の真っ直ぐな結合線Ｖ２が示されおり、この結合線Ｖ２は、ピン９の周面Ｆの凸状の領域Ｆ３から、ピン軸線Ｚを通って、ピン９の周面Ｆの、向かい合って位置している凸状の領域Ｆ４に延びている。この結合線Ｖ２は、軸受領域１４における最短の内径Ｗ１４とほぼ同じ長さである。
【００８３】
図１８には、択一的な第２の変化実施形態の連行体４ａが斜視図で示されている。この連行体４ａでは単にベースプレート１３だけが示されており、連行体突出部７は、図示されていない。この変化形態では第１の固定装置８の、連行体４ａに配置されたまたは形成された部分８ａは、ピン収容部１０として形成されている。第２の固定装置１２の、連行体４ａに配置されたまたは形成された部分１２ａもまた、同様にピン収容部１０として形成されている。この図面において導入通路１１における最短の内径Ｗ１１が、特に良好に認識可能である。両ピン収容部１０は、互いに鏡面対称にベースプレート１３に形成されている。
【００８４】
図１９には、単に本体レール１７のアングル形状の組付け要素２８だけが示されている。この組付け要素２８には、第１の固定装置８の部分８ｂが配置されており、この部分８ｂは、ピン９として形成されている。このピン９は、組付け要素２８と一体に形成されている。左側に示された詳細図において認識できるように、このピン９の周面Ｆは、２つの平らに面取りされた領域Ｆ１，Ｆ２および２つの凸状の領域Ｆ３，Ｆ４を有している。さらに分かるように、周面Ｆは、ピン軸線Ｚに対して直角な横断面において真円形とは異なっている。この横断面は、図示とは異なり、例えば多角形または楕円形に形成されていてもよい。
【００８５】
図２０には、第１の引出しガイド３ａが連行体４ａと共に、下から見た図で示されており、このとき固定装置８の第２の変化実施形態が示されている。断面Ｄ−Ｄを生ぜしめる鉛直な切断面が図示されていて、かつ第１の固定装置８を通って延びている。
【００８６】
図２１における断面Ｄ−Ｄに沿った断面図および右に示された詳細図において、組付け要素２８に形成されたピン９が認識可能であり、このピン９は、固定状態Ｂにおいて、軸受領域１４におけるピン収容部１０の切欠き縁部に少なくとも部分的に接触している。
【符号の説明】
【００８７】
１  アセンブリ
２  可動の家具部分
３ａ  第１の引出しガイド
３ｂ  第２の引出しガイド
４ａ  連行体
４ｂ  第２の連行体
５  駆動装置
５ａ  第１の駆動装置
５ｂ  第２の駆動装置
６  家具本体
７  連行体突出部
８  第１の固定装置
８ａ  第１の固定装置の、連行体に配置された部分
８ｂ  第１の固定装置の、引出しガイドに配置された部分
９  ピン
１０  ピン収容部
１１  導入通路
１２  第２の固定装置
１２ａ  第２の固定装置の、連行体に配置された部分
１３  ベースプレート
１４  軸受領域
１５  挿入領域
１６  クランプ要素
１７  本体レール
１８  引出しレール
１９  家具
２０  前板
２１  引出し背壁
２２  引出し側壁
２３  引出し底部
２４  同期化装置
２５  組付けプレート
２６  容器レール
２７  ガイド部分
２８  組付け要素
２９  クランプ要素・対応部材
Ｌ  引出しガイドの長手延在方向
Ｅ  狭窄箇所
Ｐ  プレート平面
Ｍ  組付け状態
Ｓ  対称平面
Ｓ１  第１の対称領域
Ｓ２  第２の対称領域
Ｂ  固定状態
Ｚ  ピン軸線
Ｆ  周面
Ｆ１，Ｆ２  平らに面取りされた領域
Ｆ３，Ｆ４  凸状の領域
Ｖ１  平らに面取りされた領域の間における最短の真っ直ぐな結合線
Ｖ２  凸状の領域の間における最短の真っ直ぐな結合線
Ｗ１１  導入通路における最小の内径
Ｗ１４  軸受領域における最小の内径
ＳＳ  閉鎖位置
ＯＳ  開放位置
ＶＢ  先行固定位置
ＺＷ  中間位置
【図１】
2021510111.tif 000003
【図２】
2021510111.tif 000004
【図３】
2021510111.tif 000005
【図４】
2021510111.tif 000006
【図５】
2021510111.tif 000007
【図６】
2021510111.tif 000008
【図７】
2021510111.tif 000009
【図８】
2021510111.tif 000010
【図９】
2021510111.tif 000011
【図１０】
2021510111.tif 000012
【図１１】
2021510111.tif 000013
【図１２】
2021510111.tif 000014
【図１３】
2021510111.tif 000015
【図１４】
2021510111.tif 000016
【図１５】
2021510111.tif 000017
【図１６】
2021510111.tif 000018
【図１７】
2021510111.tif 000019
【図１８】
2021510111.tif 000020
【図１９】
2021510111.tif 000021
【図２０】
2021510111.tif 000022
【図２１】
2021510111.tif 000023
【国際調査報告】
2021510111.tif 000024
2021510111.tif 000025
2021510111.tif 000026
2021510111.tif 000027